(57)【特許請求の範囲】
【請求項１】
液体を収容する内容器（２）と、内容器内の液体を加熱するヒータ（３）と、内容器を囲む外装体（４）と、外装体の上端に開閉自在に装着し、内容器の口元を開閉する蓋体（５）と、内容器内の液体を外部へ吐出する吐出機構（６）と、内容器内の液量を表示する液量表示機構（７）と、電気系統を電子制御する制御機構（８）とを設け、蓋体内に内容器にて発生した蒸気を蓋体外部へ導出するための蒸気通路（１６）が形成され、蒸気通路の途中には電気湯沸かし器（１）本体の転倒時に蒸気通路を閉鎖する止水弁（３２）を備えた弁室（１７）が設けられている電気湯沸かし器（１）に於いて、上記弁室（１７）は、有底筒状に形成し、弁室の中央に横断面Ｕ字状の弁載置部（２６）を弁室底壁（２５）より突出し、弁載置部と弁室外周壁との間の弁室底壁の後方に蒸気通路（１６）と連通する吸気開口（２８）を設け、吸気開口と相反する弁載置部の前方を切り欠いて弁部侵入口（２９）を設け、吸気開口より入った蒸気が弁載置部外側周りを迂回して弁部侵入口より弁載置部内へ侵入して、弁室挿入筒上端の蒸気流出口（２０）を通り上蓋側の蒸気通路（１６ｂ）へと流出することを特徴とした電気湯沸かし器。
【請求項２】
弁室（１７）の弁室底壁（２５）が吸気開口（２８）側より弁部侵入口（２９）側に向けて下向きに傾斜する請求項１記載の電気湯沸かし器。
【発明の詳細な説明】
【技術分野】
【０００１】
本発明は、蓋体内に蒸気通路を備えた電気湯沸かし器に関するものである。
【背景技術】
【０００２】
従来、電気湯沸かし器としては、器体（外装体）１３に囲まれた有底筒状の真空二重容器（内容器）３を設け、真空二重容器（内容器）の底部に真空二重容器（内容器）内の液体を加熱するヒータ４を設け、器体（外装体）の上端に真空二重容器（内容器）の上端開口を開閉する蓋（蓋体）８を設けた構造の電気貯湯容器が特開２００２−３３０８６９号公報（特許文献１、図１及び図２参照）として存在する。
【０００３】
【特許文献１】特開２００２−３３０８６９号（図１及び図２）
【０００４】
以下、特許文献１の図１及び図２により従来の電気湯沸かし器について説明する。
この特許文献１の電気貯湯容器は、一重壁の底部にヒータ４を備えた真空二重容器３と、真空二重容器を囲む器体１３と、電気回路を通電制御する制御基板２９と、下端を真空二重容器の底部の細口と連通し、上端を止水弁３９を介して吐出口５ｄと連通し、かつ液量表示を兼ねた吐出路５と、吐出ポンプ１４と、器体１３の肩部に開閉自在に配設され、真空二重容器３の上端開口を気密的に閉鎖する蓋８とから構成されている。
【０００５】
更に、器体１３の後部に枢支する蓋８は、上板５１と、上板の下端面を覆う下板５２と、下板の下端面を覆う内蓋５５と、器体に対して蓋を開閉するロック機構と、上板と下板との間に装填する断熱材６１と、下板と内蓋との間に設けた蒸気通路９と、器体転倒時、真空二重容器内の液体を蓋を介して蒸気出口９ａから流出するのを防ぐ転倒時止水弁３９を備えた弁室とから構成されている。
【発明の開示】
【発明が解決しようとする課題】
【０００６】
ところが、この種の電気湯沸かし器では、蓋内に真空二重容器内で発生した蒸気を蒸気出口より外部へ排出するための蒸気通路を備えていたが、蒸気通路に流出した蒸気は弁室をコーナーとしてほぼ直角に上昇して排出され、しかも蒸気の一部が弁室をでた垂直部近傍で結露するとともに付着し、沸騰時蒸気の強い気流に吹き飛ばされて、蒸気出口より飛散して時には人体に火傷を負わせ、十分な安全性を確保することができず、また床を水滴で濡らす等の危険や不具合があるという問題点があった。
又、蓋の組み立てに際して、上板と下板と内蓋及び蒸気通路、弁室との構造が複雑で組立時の取り付け手間がかかり煩わしい作業となるという問題点があった。
【課題を解決するための手段】
【０００７】
本発明は、液体を収容する内容器２と、内容器内の液体を加熱するヒータ３と、内容器を囲む外装体４と、外装体の上端に開閉自在に装着し、内容器の口元を開閉する蓋体５と、内容器内の液体を外部へ吐出する吐出機構６と、内容器内の液量を表示する液量表示機構７と、電気系統を電子制御する制御機構８とを設け、蓋体内に内容器にて発生した蒸気を蓋体外部へ導出するための蒸気通路１６が形成され、蒸気通路の途中には電気湯沸かし器１本体の転倒時に蒸気通路を閉鎖する止水弁３２を備えた弁室１７が設けられている電気湯沸かし器１に於いて、上記弁室１７は、有底筒状に形成し、弁室の中央に横断面Ｕ字状の弁載置部２６を弁室底壁２５より突出し、弁載置部と弁室外周壁との間の弁室底壁の後方に蒸気通路１６と連通する吸気開口２８を設け、吸気開口と相反する弁載置部の前方を切り欠いて弁部侵入口２９を設け、吸気開口より入った蒸気が弁載置部外側周りを迂回して弁部侵入口より弁載置部内へ侵入して、弁室挿入筒上端の蒸気流出口２０を通り上蓋側の蒸気通路１６ｂへと流出する構成としている。又、弁室１７の弁室底壁２５が吸気開口２８側より弁部侵入口２９側に向けて下向きに傾斜する構成としている。
【発明の効果】
【０００８】
本発明は、従来の問題点を解決したものであって、蒸気が弁室内で結露し、水滴となって蒸気流出口よりでる前に蓋体内に留まるため、人体に火傷を負わせる危険性が除かれ、安全性に優れ、床を水滴にて濡らす等の不具合を解消して、しかも組立手間の煩わしさを軽減して作業効率の良いものとすることができる。
【発明を実施するための最良の形態】
【０００９】
電気湯沸かし器１は、液体を収容する内容器２と、内容器内の液体を加熱するヒータ３と、内容器を囲む外装体４と、外装体の上端に開閉自在に装着し、内容器の口元を開閉する蓋体５と、内容器内の液体を外部へ吐出する吐出機構６と、内容器内の液量を表示する液量表示機構７と、電気系統をマイクロコンピュータにて制御する制御機構８とから構成している。
【００１０】
内容器２は、ステンレス等の金属材料にて有底筒状に形成しており、口元上端に外方に拡がった鍔部を設け、底部を上向きに段状に形成し、底の前方部に細口の貫通パイプ９を一体的に設けている。
【００１１】
内容器内の液体を加熱するヒータ３は、内容器底部外側より当接してヒータカバーと共に固定している。
３９は、サーミスタ等の温度調節器で内容器内の液温を間接的に感知してヒータ３をＯＮ、ＯＦＦしている。
【００１２】
内容器を囲む外装体４は、内容器の胴部を囲む外装ケースと、外装ケースの上端に嵌着する肩部と、外装ケースの下端を覆う底部材とからなっている。この肩部及び底部材の一部は、外装ケースと一体的に形成してもよい。
外装ケースの上部にはハンドル１０を装着している。
【００１３】
外装体４と一体である肩部は、中央を上下に開口する開口部を設け、開口部の前面に前方に延びた嘴部１１をを設け、開口部の後面に蓋体５を枢支するヒンジ部を設けており、開口部を形成する周壁の下部に内側中央に向けて延びたフランジ部を設けている。
外装体の嘴部１１は、下側から上向きに空洞としており、この空洞内に湯沸かし、保温用ランプ、後述の吐出機構６の吐出パイプ３７等を収納している。
【００１４】
外装体４は、前面を内側に窪ませた筒状であって、図１に示すように、前面右側に縦方向に大きく切り欠いた透視窓を設けている。
この透視窓の表面に透明なシール材１２を貼り付けている。
【００１５】
蓋体５は、図２に示すように、上蓋１３と、下蓋１４と、下蓋の下面を覆い、内容器２の口元を閉鎖するステンレス製の覆板１５と、蓋体を外装体の嘴部１１後方にロックするロック機構と、内容器内の蒸気を外部へ排出する蒸気通路１６と、蒸気通路内に設けた弁室１７とからなっている。
１８は、断熱材である。
【００１６】
蓋体の上蓋１３は、図１及び図２に示すように、前面中央に蓋体を開閉するロック機構のレバーを備えており、後部のヒンジ部前方に蒸気排出口１９を設けている。
この上蓋の蒸気排出口１９の下方には、図２又は図８に示すように、後述の下蓋１４の蒸気流出口２０より上昇した蒸気を蒸気排出口１９へ導く蒸気通路１６ｂを備えている。
【００１７】
蓋体の下蓋１４は、上蓋１３の下面を覆っており、前面中央にロック機構を備え、後部にヒンジ部を備えている。
下蓋１４のヒンジ部前方には、図２及び図３に示すように、弁室挿入筒２１を設けており、この弁室挿入筒の下方に蒸気通路１６ａを設けている。
蓋体５内の蒸気通路１６は、下蓋１４の下方に設けた蒸気通路１６ａと、この蒸気通路１６ａと連通し上蓋１３の後方に垂直に設けた蒸気通路１６ｂとからなっている。
【００１８】
下蓋１４の弁室挿入筒２１は、図３に示すように、左右両側に弁室１７の左右両側に設けた弁室側ビス用係止片３０，３０と当接し、ビス３１，３１にて弁室１７を固定する挿入筒ビス用係止片２２，２２を設け、内側中央に弁室の弁載置部２６と嵌合する載置部嵌合筒２３を設けている。
【００１９】
この弁室挿入筒内の載置部嵌合筒２３は、図３に示すように、蒸気流出口２０の下端周りに適宜の間隔を隔てて垂下した止水弁摺動片２４，２４を設け、中央に止水弁３２を嵌め込んでいる。
この載置部嵌合筒２３は、後述の弁室の弁部侵入口２９側を切り欠いており、止水弁摺動片２４のみが立設している。
【００２０】
下蓋の弁室挿入筒２１に嵌合する弁室１７は、図５及び図７に示すように、有底筒状に形成し、弁室底壁２５より中央に横断面Ｕ字状の弁載置部２６を垂設し、弁載置部と弁室外周壁２７との間で弁室底壁２５の後方に下蓋側の蒸気通路１６ａと連通する吸気開口２８を設け、弁載置部２６の吸気開口と相反する前方を切り欠いて弁部侵入口２９とし、吸気開口２８より入った蒸気が弁載置部２６外側周りを迂回して弁部侵入口２９より弁載置部内へ侵入するようにしている。
【００２１】
３０，３０は、弁室側ビス用係止片であって、下蓋の下側よりビス３１，３１にて挿入筒ビス用係止片２２，２２に固定している。
３２は、止水弁で弁室の弁載置部２６内にあって、載置部嵌合筒２３内の止水弁摺動片２４、２４によって上下摺動自在としている。
【００２２】
通常時、止水弁３２は、弁室の弁載置部２６内中央に載置されており、弁載置部に入った蒸気が弁載置部内の止水弁周りを上昇し、止水弁摺動片２４と止水弁摺動片２４との間を更に上昇し、弁室挿入筒上端の蒸気流出口２０を通り、上蓋側の蒸気通路１６ｂへと流出する。
【００２３】
このとき、弁室の吸気開口２８から入った蒸気は、弁載置部２６外側周りを迂回して、弁部侵入口２９より弁載置部内へ侵入し、止水弁３２周りを上昇し止水弁摺動片２４と止水弁摺動片２４との間を更に上昇して、蒸気通路１６ｂへと流出することとなるために、蒸気の一部が弁室内及び弁載置部内で結露水となって発生し、この結露水が弁室の弁室底壁２５に沿って吸気開口へと流れ、蒸気通路１６ｂへ流れ出た蒸気は、蒸気排出口１９より排出されるときに、ほとんど水滴の飛散が防止され、人体に火傷を負わせたり、床を濡らすこともないと共に、蒸気が蒸気通路内をストレートに蒸気排出口へと流出しないので、蓋体による保温性を高めることが十分できる。即ち、蒸気通路１６ａ内の蒸気は、図２乃至図８に示すように、横方向に流れて吸気開口２８より弁室１７内へと縦方向へ上昇後、弁室を構成する載置部嵌合筒２３の外側周りを迂回して、前方の弁部侵入口２９側へ行き、更に載置部嵌合筒２３内側を通り、弁室挿入筒２１内上端の蒸気流出口２０へと縦方向に上昇し、更にその上の蒸気排出口１９へと流出することとなる。又蒸気が図８に示すように、横方向から縦方向に更に迂回して縦方向へと流れるに至って、この迂回後に結露水となっている。
【００２４】
電気湯沸かし器１の転倒時、蓋体の止水弁３２が止水弁摺動片２４に沿って摺動し、蒸気流出口２０を閉鎖するので、下蓋側の蒸気通路１６ａを通って弁載置部２６内に入った内容器からの液体は、上蓋側の蒸気通路１６ｂへと流出することもない。
更に、弁室の弁室底壁２５は、図７に示すように、吸気開口２８側より弁部侵入口２９側に向けて下向きに傾斜して、電気湯沸かし器１転倒復帰時等に、弁載置部２６内に溜まった液体をスムーズかつ速やかに吸気開口２８へ流れ落ちるようにしている。
【００２５】
蓋体の覆板１５は、内容器２内と連通する蒸気抜口３３，３３を設け、下蓋１４の下面を覆ってビス止めされ、下蓋との間に蒸気抜口と連なる下蓋側の蒸気通路１６ａを設けている。
覆板の外周端には、内容器２の口元を閉鎖するシールパッキンを張設している。
【００２６】
吐出機構６は、内容器の貫通パイプ９と連なる電動ポンプ（図示せず）と、電動ポンプの排出側と連なる下部ジョイントパイプ３４と、下部ジョイントパイプと連なる揚水パイプ３５と、揚水パイプと連なる上部ジョイントパイプ３６と、上部ジョイントパイプと連なり、転倒時の止水用弁部を備えた吐出パイプ３７とからなっている。
この上部ジョイントパイプ３６は、図４に示すように、中央に上下の太い胴径よりも細い細径部３８を備えている。
【００２７】
液量表示機構７は、透視窓の裏側に配置する揚水パイプ３５と、揚水パイプの後端に配置する表示板４０とからなっており、揚水パイプ内の液面を表示板にて鮮明に表示して、透視窓より目視可能としている。
【００２８】
この表示板４０は、図４に示すように、下側に鍔部を設け、この鍔部中央に揚水パイプ３５を貫通する透孔を備え、上側に二段の鍔部を設け、下段の鍔部中央に揚水パイプ３５を通す切り欠き部を備え、上段の鍔部中央に上部ジョイントパイプ３６の太い胴径は通らず細径部３８のみを通す切り欠き部を備え、揚水パイプの上方より表示板の下部の透孔を通した後、下段の鍔部を揚水パイプの上方で支持し、上段の鍔部を上部ジョイントパイプの細径部３８を通して、揚水パイプに対して表示板４０を確実に保持している。
【００２９】
制御機構８は、全ての電気系統をマイクロコンピュータにて制御しており、例えば内容器内の液体の加熱、スイッチ操作にて電動ポンプを駆動して吐出操作する等を行っている。
【００３０】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３１】
【図１】本発明実施例の斜視面図。
【図２】本発明実施例の中央縦断面図。
【図３】本発明実施例の下蓋と弁室との分解斜視図。
【図４】本発明実施例の液量表示機構の分解斜視図。
【図５】本発明実施例の弁室の斜視図。
【図６】本発明実施例の弁室の平面図。
【図７】図６のＡ−Ａ断面図。
【図８】図２のＢ部拡大図。
【符号の説明】
【００３２】
１…電気湯沸かし器
２…内容器
３…ヒータ
４…外装体
５…蓋体
６…吐出機構
７…液量表示機構
８…制御機構
１３…上蓋
１４…下蓋
１５…覆板
１６…蒸気通路
１６ａ…下蓋側の蒸気通路
１６ｂ…上蓋側の蒸気通路
１７…弁室
１９…蒸気排出口
２０…蒸気流出口
２１…弁室挿入筒
２５…弁室底壁
２６…弁載置部
２８…吸気開口
２９…弁部侵入口
３２…止水弁
【図１】
0004685550.tif 000002
【図２】
0004685550.tif 000003
【図３】
0004685550.tif 000004
【図４】
0004685550.tif 000005
【図５】
0004685550.tif 000006
【図６】
0004685550.tif 000007
【図７】
0004685550.tif 000008
【図８】
0004685550.tif 000009